(57)【要約】【課題】本発明はサーチを行っている状態においても、受信品質が悪くなりにくいデジタル放送受信用チューナを提供することを目的とするものである。【解決手段】本発明は、この課題を解決するためにアンテナ３ａへ接続される入力端子２ａと低雑音増幅器８ａと、この低雑音増幅器８ａの出力が供給された利得制御増幅器９ａと、混合器１０ａ、フィルタ１２ａおよび出力端子１３ａを備えたフルセグ用チューナ７ａと、低雑音増幅器８ａの出力が供給されるとともに、デジタル放送信号のうちの１セグメントの放送信号のみを受信するワンセグ用チューナ１８とが設けられたものである。これにより、ワンセグ用チューナ１８でサーチ動作を行うときに、低雑音増幅器８ａと利得制御増幅器９ａによって、混合器１０ａへ供給される放送信号のレベルを補うことが可能である。【選択図】図１
2011244115.tif 000002
【特許請求の範囲】
【請求項１】
第１のアンテナへ接続されるとともに、デジタル放送信号が入力される第１の入力端子と、この第１の入力端子が接続された第１の低雑音増幅器と、この第１の低雑音増幅器の出力が供給された第１の利得制御増幅器と、この第１の利得制御増幅器の出力が一方の入力に供給されるとともに、他方の入力には第１の発振器の出力が供給された第１の混合器と、この第１の混合器の出力に接続され、前記デジタル放送信号のうちの１２セグメントの放送信号を通過させる第１のフィルタと、この第１のフィルタの出力信号を前記１２セグメントの放送信号を復調する第１の復調回路へ出力する出力端子を備えた第１の１２セグメント放送受信用チューナと、前記低雑音増幅器の出力が供給されるとともに、前記デジタル放送信号のうちの１セグメントの放送信号のみを受信する１セグメント放送受信用のチューナとが設けられたデジタル放送受信用チューナ。
【請求項２】
１セグメント放送受信用のチューナには、前記第１の低雑音増幅器の出力が供給される第２の入力端子と、この第２の入力端子に入力された信号が供給される第２の利得制御増幅器と、一方の入力に前記第２の低雑音増幅器の出力が供給されるとともに、他方の入力に発振器の出力が供給された第２の混合器と、この第２の混合器の出力に接続され、前記デジタル放送信号のうちの１セグメントの放送信号を通過させる第２のフィルタと、この第２のフィルタの出力信号を１セグメントの放送信号を復調する第２の復調回路へ出力する出力端子とを備えた請求項１に記載のデジタル放送受信用チューナ。
【請求項３】
第１の低雑音増幅器と第２の入力端子の間には第１のスイッチが挿入され、前記第１のスイッチはエミッタフォロア型もしくはソースフォロア型とした請求項２に記載のデジタル放送受信用チューナ。
【請求項４】
第２のアンテナに接続された第２の１２セグメント放送受信用チューナを設け、第１の復調回路では第１の１２セグメント放送受信用チューナと前記第２の１２セグメント放送受信用チューナとの出力信号を合成した信号を復調するか、あるいは第１の１２セグメント放送受信用チューナと前記第２の１２セグメント放送受信用チューナのうちのいずれか一方の出力信号を選択するかのいずれかの処理が行われる請求項２に記載のデジタル放送受信用チューナ。
【請求項５】
第２のチューナには前記第２のアンテナに入力されたデジタル放送信号が入力される第３の入力端子と、この第３の入力端子が接続された第２の低雑音増幅器と、この第２の低雑音増幅器の出力が供給された第３の利得制御増幅器と、この第３の利得制御増幅器の出力が一方の入力に供給されるとともに、他方の入力には第３の発振器の出力が供給された第３の混合器と、この第３の混合器の出力に接続され、前記デジタル放送信号のうちの１２セグメントの放送信号を通過させる第３のフィルタと、この第３のフィルタの出力信号を第１の復調回路へ出力する第３の出力端子を設け、第１の低雑音増幅器と第２の入力端子の間には第１のスイッチが挿入されるとともに、前記第２の低雑音増幅器と第２の入力端子の間には第２のスイッチが挿入され、前記第１と第２のスイッチはともにエミッタフォロア型もしくはソースフォロア型とした請求項４に記載のデジタル放送受信用チューナ。
【請求項６】
第１のアンテナへ接続されるとともに、デジタル放送信号が入力される第１の入力端子と、この第１の入力端子が接続された第１の低雑音増幅器と、この第１の低雑音増幅器の出力が供給された第１の利得制御増幅器と、この第１の利得制御増幅器の出力が一方の入力に供給されるとともに、他方の入力には第１の発振器の出力が供給された第１の混合器と、この第１の混合器の出力に接続され、前記デジタル放送信号のうちの１２セグメントの放送信号を通過させる第１のフィルタと、この第１のフィルタの出力信号が供給される出力端子を備えた第１の１２セグメント放送受信用チューナと、前記出力端子に接続されるとともに、前記１２セグメントの放送信号を復調する第１の復調回路と、この第１の復調回路の出力された信号を音声信号や映像信号へと変換する信号処理回路と、この音声や映像信号が出力される出力端子とを備え、前記低雑音増幅器の出力が供給されるとともに、前記デジタル放送信号のうちの１セグメントの放送信号のみを受信する１セグメント放送受信用チューナと、この１セグメント放送受信用チューナの出力端子に接続された第２の復調回路と、この第２の復調回路の出力が接続されるとともに前記１セグメント放送受信用チューナにサーチ動作を行わせる制御回路とを設けた受信装置。
【請求項７】
前記制御回路では、第１の復調回路もしくは信号処理回路から出力された信号から現在受信中の番組の番組情報を取得するとともに、サーチ動作によって第２の復調回路から出力された信号から現時刻に放送している番組の番組情報を取得し、前記現在受信中の番組の番組情報と前記受信可能な番組の番組情報とを比較する請求項６に記載の受信装置。
【請求項８】
１２セグメント放送受信用チューナと、この１２セグメント放送受信用チューナの出力が供給されるとともに、１２セグメント放送信号を復調する第１の復調回路と、１セグメント放送受信用チューナと、この１セグメント放送用チューナの出力が供給されるとともに、１セグメント放送信号を復調する第２の復調回路と、この第２の復調回路と前記第１の復調回路の出力が供給された制御回路を備え、前記制御回路には前記１２セグメント放送用チューナにおいて受信した放送の受信品質を示す第１の値と、前記１セグメント放送用チューナにおいて受信した放送の受信品質を示す第２の値が入力される受信装置に用いるサーチ方法において、前記１２セグメント放送受信用チューナで第１のチャンネルを受信するステップと、このステップの後で前記制御回路が前記第１の値を取得するステップと、このステップの後で制御回路が前記第１の値とあらかじめ定められた第１の閾値とを比較するステップと、このステップで制御回路が前記第１の値が前記閾値を越えて受信品質が悪くなる方向へ変化したと判定したときに、前記比較ステップの後で前記１セグメント放送受信用チューナにおいて受信可能なチャンネルをサーチするステップを設け、前記サーチするステップには、前記１セグメント放送受信用チューナで第２のチャンネルを受信するステップと、このステップの後で前記制御回路が前記第２の値を取得するステップと、このステップの後で第２の値に基づいて前記第２のチャンネルを前記１２セグメント放送用チューナで受信した場合の受信品質を推定して、前記第２のチャンネルでの受信可否を判定するステップとを有した受信装置のサーチ方法。
【請求項９】
第１の復調回路の出力が供給された信号処理回路を備え、第１のチャンネルを受信するステップの後で、制御回路が前記第１の復調回路と前記信号処理回路のいずれかから第１のチャンネルにおいて現時刻に放送されている第１の番組情報を取得するステップと、受信可否を判定するステップにおいて受信可能と判定された場合に、受信可否を判定するステップの後で前記制御回路が第２の復調回路の出力から第２のチャンネルにおいて現時刻に放送されている第２の番組情報を取得するステップと、このステップの後で前記第２の番組情報と前記第１の番組情報とを比較するステップと、このステップで前記第１と第２の放送情報が一致した場合に、前記番組情報を比較するステップの後で前記第２の値より推定された受信品質と、第１の値に基づく受信品質を比較するステップと、このステップで前記第２の値より推定された受信品質の方が第１の値に基づく受信品質よりも良いと判定された場合に、前記制御回路は前記１２セグメント放送用チューナで前記第２のチャンネルを受信させる請求項８に記載の受信装置のサーチ方法。
【発明の詳細な説明】
【技術分野】
【０００１】
本発明は、デジタル放送を受信するチューナと、これを用いた移動用の受信装置に関するものである。
【背景技術】
【０００２】
以下、従来のデジタル放送用の受信装置（移動用受信装置の一例として用いた）について説明する。従来の受信装置は、１２セグメントの地上波デジタル放送（あるいはフルセグなどとも言う）を視聴するためのものであり、アンテナと、このアンテナが接続されたチューナと、このチューナの出力が接続された復調回路と、この復調回路の出力が接続された信号処理回路と、この信号処理回路から出力される出力信号が供給される出力端子とを有している。
【０００３】
このような受信装置において、アンテナで受信した１２セグメントの地上波デジタル放送の放送信号波は、チューナへと入力される。この信号が入力されたチューナは、希望するチャンネルの放送信号を中間周波数へと変換し、復調回路へと出力する。チューナの出力が入力された復調回路では、チューナから入力した信号を復調し、トランポートストリーム信号（以降ＴＳ信号という）を出力する。そして信号処理回路では、このＴＳ信号を復号して、映像信号や音声信号を再生し、出力端子に接続された表示器やスピーカへ出力する。
【０００４】
そしてこのような受信装置は、たとえば車のような移動手段へ搭載されて、移動しながらデジタル放送を視聴するが、移動により放送エリアをまたがって移動する場合がある。そして放送エリアの境界に近づくと、映像や音声が乱れ、受信品質が悪くなる。このような場合には、受信装置に対して受信可能な放送チャンネルのサーチを行わせる。
【０００５】
なお、この出願の発明に関連する先行技術文献情報としては、例えば、特許文献１が知られている。
【先行技術文献】
【特許文献】
【０００６】
【特許文献１】特開２００５−１８４５４８号公報
【発明の概要】
【発明が解決しようとする課題】
【０００７】
このような従来の受信装置では、チューナが１台であるので、サーチ時に受信することができなくなる。そこで受信装置に複数台のアンテナとチューナを準備し、合成ダイバーシティ方式による受信装置を用いて、この問題を解決する方法が提案されている。つまりこの場合、１台のチューナでサーチ動作を行いつつ、残りのチューナで希望チャンネルの放送を受信することで、希望の番組を視聴し続けることができる。しかしながら、チューナでサーチ動作を行っている間は、合成するチューナの数が減少することとなり、受信品質が悪くなってしまうという課題を有していた。
【０００８】
そこで本発明は、この問題を解決したもので、サーチを行っている状態においても、受信品質が悪くなりにくいデジタル放送受信用チューナを提供することを目的としたものである。
【課題を解決するための手段】
【０００９】
この目的を達成するために、１２セグメント放送受信用チューナの低雑音増幅器と利得制御増幅器との間で入力信号を分岐させるものである。そして、分岐された信号の一方は、利得制御増幅器を介して混合器へ供給され、分岐された信号の他方は、１セグメント放送受信用のチューナへと供給される。これにより所期の目的を達成することができる。
【発明の効果】
【００１０】
以上のように本発明によれば、第１のアンテナへ接続されるとともに、デジタル放送信号が入力される第１の入力端子と、この第１の入力端子が接続された第１の低雑音増幅器と、この第１の低雑音増幅器の出力が供給された第１の利得制御増幅器と、この第１の利得制御増幅器の出力が一方の入力に供給されるとともに、他方の入力には第１の発振器の出力が供給された第１の混合器と、この第１の混合器の出力に接続され、前記デジタル放送信号のうちの１２セグメントの放送信号を通過させる第１のフィルタと、この第１のフィルタの出力信号を前記１２セグメントの放送信号を復調する第１の復調回路へ出力する出力端子を備えた第１の１２セグメント放送受信用チューナと、前記低雑音増幅器の出力が供給されるとともに、前記デジタル放送信号のうちの１セグメントの放送信号のみを受信する１セグメント放送受信用のチューナとが設けられたデジタル放送受信用チューナであり、これにより第１の１２セグメント放送受信用チューナの第１の低雑音増幅器と第１の利得制御増幅器との間から分岐した信号が１セグメント放送受信用のチューナへ供給されるので、１セグメント放送受信用チューナでサーチ動作を行っても、第１の低雑音増幅器と第１の利得制御増幅器によって、第１の混合器へ入力される放送信号のレベルを補うことが可能で、サーチの最中においても、視聴する放送の受信品質が悪くなりにくいデジタル放送受信用チューナを実現できる。
【図面の簡単な説明】
【００１１】
【図１】本実施の形態における受信装置の回路ブロック図
【図２】同、第２の例における受信装置の回路ブロック図
【発明を実施するための形態】
【００１２】
以下、本実施の形態におけるチューナを用いた受信装置について、図面を用いて説明する。
【００１３】
（実施の形態１）
図１は、本実施の形態における受信装置の回路ブロック図である。図１において受信装置１は、地上波デジタル放送を受信するものである。この受信装置１の入力端子２ａにはアンテナ３ａが接続され、アンテナ３ａで受信した地上波デジタル放送信号が供給される。受信装置１の出力端子４ａには表示装置５が接続され、出力端子４ｂにはスピーカ６が接続される。そして受信装置１ではアンテナ３ａで受信した地上波デジタル放送信号が、映像と音声信号へと変換されて、表示装置５とスピーカ６へ出力される。これにより、視聴したいチャンネルの放送番組を視聴することができる。
【００１４】
では、次に受信装置１の詳細について説明する。１２セグメント放送受信用チューナ（以降フルセグ用チューナ７ａという）には、低雑音増幅器８ａと、利得制御増幅器９ａと、混合器１０ａと、発振器１１ａと、フィルタ１２ａと、出力端子１３ａを備えている。なお、入力端子２ａは受信装置１とフルセグ用チューナ７ａとで共用をしている。
【００１５】
低雑音増幅器８ａは、入力端子２ａへ入力された地上デジタル放送の信号が供給され、その信号が増幅される。利得制御増幅器９ａは、低雑音増幅器８ａの出力が供給され、その信号の増幅を行うものである。ただし利得制御増幅器９ａでは、この利得制御増幅器９ａからの出力信号のレベルを一定値とすべく利得が制御される。混合器１０ａの一方の入力には利得制御増幅器９ａの出力が供給され、他方の入力には発振器１１ａの出力が供給される。これにより混合器１０ａでは、利得制御増幅器９ａと発振器１１ａからの信号を混合し、中間周波数信号へと変換する。そしてフィルタ１２ａは、混合器１０ａの出力が供給され、中間周波数信号を通過させる。そのために、フィルタ１２ａは、１２セグメント放送の帯域（実際的には、１２セグメント＋１セグメントを含めた信号の帯域）を通過させるものであり、約６ＭＨｚの通過帯域を有している。これによりフルセグ用チューナ７ａは、アンテナ３ａで受信した地上波デジタル放送信号を中間周波数信号へと変換して、出力端子１３ａより出力する。
【００１６】
フルセグ用チューナ７ａの出力端子１３ａから出力された中間周波数信号は、１２セグメント放送信号を復調する復調回路１４へと供給される。この復調回路１４は、中間周波数信号を復調し、トランポートストリーム信号（以降、ＴＳ信号という）を出力するものである。信号処理回路１５は、復調回路１４の出力が供給され、ＴＳ信号を復号、伸張して、映像信号や音声信号へと変換する。
【００１７】
ここでフルセグ用チューナ７ａは、分配信号端子１６ａとデータ入力端子１７ａとを含んでいる。分配信号端子１６ａは、低雑音増幅器８ａの出力が分配されて接続されている。一方データ入力端子１７ａは、発振器１１ａにループ接続されたＰＬＬ回路へと接続され、発振器１１ａはこのデータ入力端子１７ａへ入力されたチャンネルデータに対応する周波数の信号を発振し、希望するチャンネルを受信するものである。
【００１８】
次に１セグメント放送受信用チューナ（以降ワンセグ用チューナ１８という）は、アンテナ３ａで受信した地上波デジタル放送のうちの１セグメント放送を受信するものである。
【００１９】
このワンセグ用チューナ１８の入力端子１８ａは、フルセグ用チューナ７ａの分配信号端子１６ａと接続され、低雑音増幅器８ａの出力が分配された放送信号が供給される。利得制御増幅器１８ｂは、この入力端子１８ａへ入力された放送信号が供給され、出力レベルが規定の値となるようにその利得が制御される。混合器１８ｃの一方の入力には利得制御増幅器１８ｂの出力が供給されるとともに、他方の入力には発振器１８ｄの出力が供給され、利得制御増幅器１８ｂと発振器１８ｄとの出力を混合し、中間周波数信号へと周波数変換する。フィルタ１８ｅは、混合器１８ｃの出力が供給され、中間周波数信号を通過させる。そのために、フィルタ１８ｅは、１セグメント放送の帯域を通過させるものであり、約４６２ＫＨｚの通過帯域を有している。そして、このフィルタ１８ｅを通過して出力された中間周波数信号が、出力端子１８ｆから出力される。データ入力端子１８ｇは、発振器１８ｄにループ接続されたＰＬＬ回路へと接続され、発振器１８ｄはこのデータ入力端子１８ｇへ入力されたチャンネルデータに対応する周波数の信号を発振し、希望するチャンネルを受信するものである。
【００２０】
復調回路１９は１セグメント放送信号を復調するものであり、出力端子１８ｆから出力された中間周波数信号が供給され、この中間周波数信号を復調するものである。制御回路２０には、復調回路１９の出力が供給されている。本実施の形態において復調回路１９は制御回路２０に対し、ＴＳ信号とＣ／Ｎ比の値を出力している。なお制御回路２０内には、復調回路１９で復調された信号から、番組情報や、受信チャンネル、受信品質などを判定する回路を含んでいる。なお、Ｃ／Ｎ比の値は受信品質を表す代表的物性値としてあげたものであり、これ以外に受信信号のＳ／Ｎ比や、ワンセグ用チューナ１８で使用されるＡＧＣ電圧（利得制御増幅器９ａや、フィルタ１２ａと出力端子１３ａとの間に設けられた利得制御増幅器への制御電圧）の値などのなかから、受信品質を特定するに最適な値を適宜選定し、復調回路１９から制御回路２０へと供給するようにすれば良い。
【００２１】
また、制御回路２０には、復調回路１４や信号処理回路１５からフルセグ用チューナ７ａの受信品質を示す信号が供給される。なお制御回路２０内には、復調回路１４の出力や信号処理回路１５からの信号により、番組情報や、受信チャンネル、受信品質などを判定する回路を含んでいる。本実施の形態においては、フルセグ用チューナ７ａのＢＥＲが受信品質を示す信号として供給される。加えて、信号処理回路１５から制御回路２０に対し、フルセグ用チューナ７ａが受信している番組の番組情報も供給される。さらに、制御回路２０の出力は、データ入力端子１７ａやデータ入力端子１８ｇへも接続され、制御部ではフルセグ用チューナ７ａとワンセグ用チューナ１８に対するチャンネルデータ信号を発生させることにより、希望のチャンネルの放送信号を受信させる。なお、ＢＥＲの値は受信品質を表す代表的物性値としてあげたものであり、これ以外にＣ／Ｎ比の値、受信信号のＳ／Ｎ比や、ワンセグ用チューナ１８で使用されるＡＧＣ電圧（利得制御増幅器１８ｂや、フィルタ１８ｅと出力端子１８ｆとの間に設けられた利得制御増幅器への制御電圧）の値などのなかから、受信品質を特定するに最適な値を適宜選定し、復調回路１４から制御回路２０へと供給するようにすれば良い。このようなＣ／Ｎ比の値や、Ｓ／Ｎ比の値、ＡＧＣ電圧の値などは、ＢＥＲに比べて放送信号のレベルの変化に対する変化の応答が速い。したがって、すばやく受信品質を判定できる。
【００２２】
以上の構成により、ワンセグ用チューナ１８へ供給される放送信号は、低雑音増幅器８ａと利得制御増幅器９ａとの間から分配されることとなる。これにより、分配により利得制御増幅器９ａへ入力される放送信号のレベルが小さくなっても、利得制御増幅器９ａの利得を制御することにより、混合器１０ａへ入力される信号のレベルを規定のレベルにすることができる。したがって、低雑音増幅器８ａの出力信号をワンセグ用チューナ１８へと分配して供給しても、フルセグ用チューナ７ａの受信品質が劣化しにくくできるので、フルセグ用チューナ７ａとワンセグ用チューナ１８とで共に受信を行っても、フルセグ用チューナ７ａの受信品質が劣化しにくくできる。
【００２３】
ここで、本実施の形態においては、分配信号端子１６ａと入力端子１８ａとの間には、スイッチ２１を挿入している。なお、このスイッチ２１は制御回路２０の命令により、オン・オフ動作する。ここでスイッチ２１は、エミッタフォロア型もしくはソースフォロア型としておくことが望ましい。これは、これらの形式のスイッチは、入力インピーダンスが高くなるので、ワンセグ用チューナ１８の接続の有無による利得制御増幅器１８ｂへ供給される信号のレベルの影響は小さくできる。つまり、低雑音増幅器８ａの出力信号が、利得制御増幅器９ａとワンセグ用チューナ１８へと分配されて供給されても、フルセグ用チューナ７ａの利得制御増幅器９ａへ供給される信号のレベルは小さくなりにくくなる。したがって、フルセグ用チューナ７ａとワンセグ用チューナ１８とで共に受信を行っても、フルセグ用チューナ７ａの受信品質を劣化しにくくできる。
【００２４】
なお、本実施の形態では、スイッチ２１によって信号を分配したが、これは抵抗分配でも良い。このとき、スイッチ２１は設けずに、分配信号端子１６ａと入力端子１８ａとは直結される。ただし、低雑音増幅器８ａから出力された信号が分岐される信号分岐点２２と利得制御増幅器９ａとの間と、信号分岐点２２と入力端子１８ａとの間のそれぞれには抵抗が挿入される。そしてこのとき、これらの抵抗値は、フルセグ用チューナ７ａとワンセグ用チューナ１８との受信限界レベルがほぼ等しくなるように選定すると良い。これにより、制御回路２０での受信品質の比較を精度良く行うことができる。
【００２５】
では、以上のように構成された受信装置１の動作について説明する。まずは、見たい番組を選局する動作について説明する。視聴者（受信装置１の操作者でもある）は、希望チャンネルを決定するボタン（図示せず）を押し制御回路２０に対し、視聴したい番組のチャンネル（チャンネルＡとする）を指示する。この指示が入力された制御回路２０は、データ入力端子１７ａに対して希望チャンネルに対応したチャンネルデータを出力する。これによりフルセグ用チューナ７ａは希望チャンネルを受信し、希望チャンネルの放送番組を視聴できることとなる。このとき、制御回路２０では受信チャンネルの受信品質の評価を行う。本実施の形態において制御回路２０は、ＢＥＲの値を継続的に観察し、あらかじめメモリ（図示せず）に記憶された閾値と比較することにより品質の評価を行う。
【００２６】
ここで、受信装置１はたとえば車などに搭載されて移動することとなる。このとき、移動により放送局からの距離が離れると、放送波のレベルが小さくなり（弱電界）、受信品質が悪くなることとなる。そこで、本発明における受信装置１ではフルセグ用チューナ７ａでの受信品質が悪くなった（弱電界である）場合に、ワンセグ用チューナ１８を用いて他に受信可能なチャンネルがないかを自動的に探知（チャンネルサーチ）させ、受信可能なチャンネルを記憶させておくわけである。具体的には制御回路２０が受信品質を評価して、視聴可能な受信品質であると判定した場合に、受信可能チャンネルとして記憶する。これにより、視聴者が番組を視聴している間に、受信可能な放送チャンネルの探索ができることとなる。
【００２７】
そして本発明における構成を用いることにより、ワンセグ用チューナ１８でチャンネルサーチを行っている間も、フルセグ用チューナ７ａの受信品質が悪くなりにくくできるので、視聴者が番組を視聴し、気付かない間にチャンネルサーチを行うことができる。
【００２８】
本実施の形態では、放送波のレベルが小さくなると、ＢＥＲの値の増大やＣ／Ｎ比の値の減少が生じる。そこで、制御回路２０はＢＥＲの値があらかじめ定められた閾値より悪くなったと判定した場合に、ワンセグ用チューナ１８を動作させて、このワンセグ用チューナ１８でチャンネルサーチを行わせる。また、制御回路２０は、ワンセグ用チューナ１８で検知したチャンネルに対しては、Ｃ／Ｎ比によって受信品質を判定している。具体的には取得したＣ／Ｎ比の値と閾値を比較することによって、フルセグ用チューナ７ａでの受信可否を判断する。
【００２９】
このとき、フルセグ用チューナ７ａとワンセグ用チューナ１８とでは、受信可能な信号レベル（受信感度限界）に差を有している。一般的に、１セグメント放送（ワンセグ用チューナ１８）は１２セグメント放送（フルセグ用チューナ７ａ）に比べ、１０ｄｂ程度の低いレベルの放送信号でも良好に受信できる。そこで、ワンセグ用チューナ１８で受信したチャンネル（チャンネルＢとする）に対するＣ／Ｎ比の値（あるいはＳ／Ｎ比の値やＡＧＣ電圧）から、フルセグ用チューナ７ａでそのチャンネルを受信した場合の受信品質を推定し、フルセグ用チューナ７ａでのチャンネルＢの受信可否を判定している。たとえば本実施の形態では、ワンセグ用チューナ１８で受信限界となる場合のＣ／Ｎ比の値よりも閾値を高い値に設定することにより、推定を行っている。それ以外に係数を乗じて推定しても良い。
【００３０】
なお、フルセグ用チューナ７ａで受信した放送の受信品質を判定する（チャンネルサーチを開始する）閾値は、完全に受信不可能となる値に対し余裕を持たせておくとよい。これにより、完全に視聴が不可能となる前に、サーチ動作が行われるので、視聴者は現在視聴している放送が視聴不可能となる前の状態で（画像の乱れや静止、あるいはブロックノイズが出始めた時に）、スムーズに他のチャンネルへの切り替えが可能となる。
【００３１】
ここで、ワンセグ用チューナ１８でのサーチ動作は弱電界で行われる。それに加えて、受信品質の判定は受信限界に対して余裕を持たせて行われるので、ワンセグ用チューナ１８がサーチを開始するときに低雑音増幅器８ａの利得は最大となっている。したがって、放送信号の分配を行っても、利得制御増幅器９ａへ入力される放送信号のレベルは、フルセグ用チューナ７ａの受信限界のレベルにまで達しない。したがって、ワンセグ用チューナ１８がサーチ動作を行っている間も、フルセグ用チューナ７ａでの受信品質の劣化を少なくできる。
【００３２】
また、一般的に隣接する放送エリア同士は、重なりを有している。つまり、それらの放送エリアの境界に近い場所では、隣接した放送エリアの放送を両方共に視聴することができることがある。このような放送エリアの境界に近い場所は弱電界であり、ワンセグ用チューナ１８でのサーチ動作が開始される。そしてこのとき、ワンセグ用チューナ１８は、隣接する放送エリアの放送信号も受信し、制御回路２０がフルセグ用チューナ７ａで受信して視聴可能な受信品質であるかを判定し、視聴可能な受信品質であると判定した場合に、メモリへ記憶させる。このようにすることで、本発明は隣接する放送エリアがあるような場合でも対応が可能となる。
【００３３】
ここで本実施の形態では制御回路２０は、サーチ動作によって復調回路１９から出力されるＴＳ信号の中から、現時刻において各チャンネルで放送している番組の番組情報を取得する。さらに制御回路２０は、信号処理回路１５が出力する番組情報信号から（もしくは復調回路１４から出力されるＴＳ信号を用いて）、現在フルセグ用チューナ７ａが受信しているチャンネル（チャンネルＡ）で放送されている番組の番組情報を取得する。そして、制御回路２０はそれらの番組情報を比較し、サーチされたチャンネルの中にチャンネルＡと同一番組を放送するチャンネル（チャンネルＢとする）を検出した場合、フルセグ用チューナ７ａの受信品質とワンセグ用チューナ１８の受信品質とを比較することにより、どちらの放送局の電波の信号レベルが大きいかを判定する。その結果、制御回路２０においてチャンネルＢの信号レベルの方が大きいと判定された場合、制御回路２０が、データ入力端子１７ａに対してチャンネルＢに対応したチャンネルデータを出力する。これによりフルセグ用チューナ７ａはチャンネルＢを受信することとなる。このようにすれば、たとえ放送エリアをまたいで移動するような場合でも、番組を中断することなく視聴を続けることができる。
【００３４】
なお、この場合もワンセグ用チューナ１８とフルセグ用チューナ７ａとでは、受信できる放送信号のレベルの限界が異なるので、制御回路２０ではワンセグ用チューナ１８でサーチしたときの受信品質を示す特性値（Ｃ／Ｎ比、Ｓ／Ｎ比、ＡＧＣ電圧など）を補正して（もしくは判定する閾値を変化させて）、フルセグ用チューナ７ａで受信した場合の受信品質の推定を行い、フルセグ用チューナ７ａでのチャンネルＢの受信可否を判定する。
【００３５】
（実施の形態２）
以下本実施の形態について図面を用いて説明する。図２は、本実施の形態における受信装置の回路ブロック図である。なお図２において、図１と同じものには同じ符号を用いており、その説明は簡略化している。
【００３６】
図２において、本実施の形態における受信装置５１は、いわゆるダイバーシティ方式を採用したものである。つまり、アンテナ３ａやフルセグ用チューナ７ａに加えて、アンテナ３ｂと、このアンテナ３ｂが接続されたフルセグ用チューナ７ｂとを有している。具体的にはフルセグ用チューナ７ｂの入力端子２ｂはアンテナ３ｂが接続され、アンテナ３ｂで受信した地上波デジタル放送が入力される。そしてフルセグ用チューナ７ｂは、フルセグ用チューナ７ａと同じく、受信を希望するチャンネルの放送信号を中間周波数信号へと変換して出力端子１３ｂから復調回路１４ａへ出力する。
【００３７】
ここで、復調回路１４ａは、フルセグ用チューナ７ａの出力とフルセグ用チューナ７ｂの出力とを合成して復調する。したがって、特に移動によるフェージングなどに対しても良好に受信できることとなる。なお、本実施の形態においてフルセグ用チューナ７ｂには、フルセグ用チューナ７ａと同じものを用いている。これによって、異なった２種類のチューナを準備することが不要であり、非常に管理が楽になる。
【００３８】
そして本実施の形態において、制御回路２０の出力はフルセグ用チューナ７ｂのデータ入力端子１７ｂへと接続される。また復調回路１４ａからは、フルセグ用チューナ７ａとフルセグ用チューナ７ｂとの信号の合成比率の値と、それらの信号を合成した後でのＢＥＲの値と、フルセグ用チューナ７ａとフルセグ用チューナ７ｂのそれぞれのＣ／Ｎ比の値も入力される。
【００３９】
なお、本実施の形態における復調回路１４ａでは、フルセグ用チューナ７ａの出力とフルセグ用チューナ７ｂの出力とを合成したが、これはいずれか一方の出力を選択して復調する方式（選択ダイバーシティ）を用いてもかまわない。ただし、この場合、復調回路１４ａ内では、フルセグ用チューナ７ａとフルセグ用チューナ７ｂのＣ／Ｎ比の値を比較し、Ｃ／Ｎ比の値の良い方のチューナで受信した信号を復調する。そしてこの場合、復調回路１４ａは制御回路２０に対して、復調する側のチューナのＣ／Ｎ比の値を制御回路２０へと出力する。
【００４０】
さらに、フルセグ用チューナ７ａの分配信号端子１６ａから出力された信号と、フルセグ用チューナ７ｂの分配信号端子１６ｂから出力された信号とのうちのいずれか一方を、選択的に入力端子１８ａへ供給している。そのために本実施の形態では、一方の端子にはフルセグ用チューナ７ａの分配信号端子１６ａが接続され、他方の端子にはフルセグ用チューナ７ｂの分配信号端子１６ｂが接続された切り替えスイッチ２１ａが設けられている。そしてこの切り替えスイッチ２１ａの共通端子には入力端子１８ａが接続され、切り替えスイッチ２１ａはフルセグ用チューナ７ａとフルセグ用チューナ７ｂのいずれか一方と入力端子１８ａとを接続する。ここで、切り替えスイッチ２１ａは実施の形態１と同じく、エミッタフォロア型もしくはソースフォロア型のスイッチを用いると良い。
【００４１】
また、切り替えスイッチ２１ａは、分配信号端子１６ａから出力された信号と、分配信号端子１６ｂから出力された信号とを選択的に入力端子１８ａへ供給すればよいので、分配信号端子１６ａと入力端子１８ａとを接続するとともに、分配信号端子１６ｂと入力端子１８ａとを接続する。そして、分配信号端子１６ａと入力端子１８ａとの間と、分配信号端子１６ｂと入力端子１８ａとの間にそれぞれスイッチ２１を挿入しても良い。この場合、それぞれのスイッチ２１は排他的な関係（一方がオンの場合に、他方はオフ）でＯＮ・ＯＦＦされる。
【００４２】
では、このように構成された受信装置５１の動作について説明する。なおここでは、実施の形態１と異なる点について主に説明し、同じ動作を行うものについては、説明を簡略化している。制御回路２０は、視聴したい番組のチャンネルの指示が入力されると、データ入力端子１７ａとデータ入力端子１７ｂに対して、希望チャンネルに対応したチャンネルデータを出力する。これによりフルセグ用チューナ７ａとフルセグ用チューナ７ｂとは共に同じチャンネルを受信して、それぞれに復調回路１４ａへ中間周波数信号を出力する。この中間周波数信号が入力された復調回路１４ａは、これらの中間周波数信号を合成した信号からＴＳ信号を出力することにより、希望チャンネルを受信できることとなる。このとき、制御回路２０では、ＢＥＲの値や合成比率、さらにはそれぞれのＣ／Ｎの値（あるいはそれぞれのＡＧＣ電圧の値）を継続的に観察している。そして制御回路２０は、入力されたＢＥＲの値とあらかじめメモリ（図示せず）に記憶された閾値とを比較することにより受信品質の評価を行う。本実施の形態ではＢＥＲによって評価したが、Ｃ／Ｎ比の値（ＡＧＣ電圧）を使って受信品質を判定する場合、たとえばそれぞれの値の平均値を用いたり、あるいはそれぞれの値を合成比率によって加重平均をとった値などを用いる。
【００４３】
そして、この受信品質を示す値が規定の閾値より悪くなった場合、切り替えスイッチ２１ａをいずれか一方へ接続するとともに、ワンセグ用チューナ１８でサーチ動作を行い、フルセグ用チューナ７ｂで受信可能なチャンネルをメモリへ記憶させる。
【００４４】
では、この切り替えスイッチ２１ａの切り替えの例について説明する。通常制御回路２０は合成比率の値の大きな方（受信品質の良い側）のチューナ側と接続するように、切り替えスイッチ２１ａを切り替えている。これにより、受信品質の良い側のチューナから分岐しているので、さらに受信品質への影響を小さくできる。
【００４５】
ただし、復調回路１４ａでのフルセグ用チューナ７ａとフルセグ用チューナ７ｂとの合成比率が１対０であるような場合には、フルセグ用チューナ７ｂの出力信号は復調には使用されていないこととなる。そこでこのような場合、制御回路２０はフルセグ用チューナ７ｂのＣ／Ｎ比の値を確認する。そしてこのＣ／Ｎ比の値から、アンテナ３ｂへ入力された放送信号のレベルが、ワンセグ用チューナ１８で受信可能な信号レベルであるかを判定する。そしてワンセグ用チューナ１８で受信が可能であると判断した場合には、切り替えスイッチ２１ａをフルセグ用チューナ７ｂ側へと接続する。しかし、ワンセグ用チューナ１８で受信が不可能であると判断した場合には、切り替えスイッチ２１ａをフルセグ用チューナ７ａ側へと接続する。
【００４６】
本実施の形態では、アンテナ２本とチューナ２台を用いた合成ダイバーシティ方式としたが、これはさらに数を増やしても良い。本発明は、自動車などに搭載される受信装置５１などのように、４台以上のチューナを用いた合成ダイバーシティによる受信装置５１などへ応用しても同様の効果を得ることができる。
【産業上の利用可能性】
【００４７】
本発明にかかるデジタル放送受信用チューナは、チャンネルサーチ時に視聴する番組の受信品質の劣化が少ないという効果を有し、特に車などに搭載されるデジタル放送受信用テレビ等に用いると有用である。
【符号の説明】
【００４８】
２ａ  入力端子
３ａ  アンテナ
７ａ  フルセグ用チューナ
８ａ  低雑音増幅器
９ａ  利得制御増幅器
１０ａ  混合器
１１ａ  発振器
１２ａ  フィルタ
１４  復調回路
１８  ワンセグ用チューナ
【図１】
2011244115.tif 000003
【図２】
2011244115.tif 000004